(57)【特許請求の範囲】
【請求項１】
略水平方向に回転軸を有する回転ドラムと、この回転ドラムを外包した外槽と、洗濯時および脱水時に前記回転ドラムを回転させる駆動モータと、前記外槽を揺動可能に収容するボデーと、回転ドラムの回転軸を軸支する軸受と、前記外槽の後方に設けられ前記軸受を略中央部に有する軸受ケースと、前記外槽と前記軸受との間に設けられ前記外槽と前記軸受とを気密にするオイルシールとを備え、前記外槽の後面の略中央部に、略ドーナツ状の外槽補強板が固定され、前記軸受ケースがその略中央部において前記外槽補強板に固定されることにより、前記オイルシールが前記外槽の後面に密着するよう構成するとともに、前記外槽補強板は、略ドーナツ状の円板とした内周部と、前記内周部から上下方向に延設したつば部とから成り、前記内周部とつば部とを外槽にスポット溶接によって取り付けられ、このスポット溶接の水平方向における間隔は、つば部における間隔を円板における間隔よりも大きくしたドラム式洗濯機。
【発明の詳細な説明】
【０００１】
【発明の属する技術分野】
本発明は、略水平方向の回転軸を中心に回転自在に配設したドラム内で洗濯物を洗濯、すすぎ、脱水するドラム式洗濯機に関するものである。
【０００２】
【従来の技術】
従来、この種のドラム式洗濯機は図６および図７に示すように構成していた。以下、その構成について説明する。
【０００３】
図６に示すように、回転ドラム１は、外周部に多数の通水孔２を全面に設け、外槽３内に回転自在に配設している。回転ドラム１の回転中心に回転軸４の一端を略水平方向に固定し、回転軸４の他端にドラムプーリー５を固定している。駆動モータ６は、ベルト７によりドラムプーリー５と連結し、ドラム１を回転駆動する。
【０００４】
外槽３は、ボデー８よりばね体９で揺動可能に吊り下げ、防振ダンパー１０により脱水起動時の振動が低減され、定常脱水時の振動がボデー８に伝達されないように防振支持するとともに、脱水時の振動を低減する重り１１を設けている。略筒状のパッキング部材１２は、回転ドラム１の前面開口部１３に対応する外槽３の開口部１４とボデー前面開口部１５との間を連結するものである。ボデー前面開口部１５に窓１６を開閉自在に設けている。
【０００５】
ヒータ１７は、外槽３内の洗濯水を加熱するものである。制御装置１８は、駆動モータ６、ヒータ１７などの動作を制御し、洗濯、すすぎ、脱水などの一連の行程を逐次制御する。
【０００６】
回転ドラム１に固定された回転軸４は軸受１９により軸支されかつオイル−シ−ル２０により外槽３と軸受１９を気密している。そして、軸受ケ−ス２１は前記軸受１９とオイルシ−ル２０を収納し、外槽３の後方凹部３−ａに収納されネジ２２により外周より固定されている。また、前記バネ体９の後方はこの軸受ケ−ス２１のフック部２１−ｂに引っ掛けられている。
【０００７】
上記構成において動作を説明すると、窓１６を開いて回転ドラム１内に洗濯物を投入し、運転を開始すると、洗濯行程では、回転ドラム１は駆動モータ６によって第１の回転数Ｎ１（約５３ｒｐｍ）で回転駆動され、回転ドラム１内の洗濯物は持ち上げられて水面上に落下される。こうして洗濯行程が進行する。すすぎ行程においても洗濯行程と同様の動作を行う。
【０００８】
脱水行程では、回転ドラム１は第２の回転数Ｎ２（約１０００ｒｐｍ）で回転駆動され、洗濯物は遠心脱水される。このとき、回転ドラム１内の洗濯物の片寄り、すなわちアンバランスが生じると、回転ドラム１、外槽３などの揺動体は振動（揺動）するが、脱水起動時は防振ダンパー１０により揺動体の振動を減衰し、定常脱水時は防振ダンパー１０の防振機構によりボデー８に伝達されることはない。また、外槽３の開口部１４とボデー８の前面開口部１５との間を略筒状のパッキング部材１２により連結しているが、揺動体の揺動により略筒状のパッキング部材１２がたわむことにより、略筒状のパッキング部材１２を通してボデー８に振動が伝達されることはない。
【０００９】
【発明が解決しようとする課題】
このような従来の構成では、軸受ケ−ス２１は、外槽３に外周部のみネジ２２により固定されていたため、外槽３などの揺動体が振動（揺動）すると振動によりオイルシ−ル２０と外槽３との密着性がなくなり水漏れを生じるという問題があった。また、外槽３は外周部のみの固定であるため外槽３とドラム１の芯ズレを生じ前方でドラム１とパッキング部材１２が接触し磨耗するという問題があった。また、揺動体が振動すると軸受ケ−ス２１と外槽３を剥離方向に力が発生し外槽３が変形したり、略中央部が振動し異常音が発生するという問題を有していた。
【００１０】
本発明は上記従来の課題を解決するもので、軸受ケ−スを外槽に精度よくかつ堅牢に固定することにより水漏れ、異常音、取付部の応力破断を防止することを目的としている。
【００１１】
【課題を解決するための手段】
本発明は上記目的を達成するために、略水平方向に回転軸を有する回転ドラムと、この回転ドラムを外包した外槽と、洗濯時および脱水時に前記回転ドラムを回転させる駆動モータと、前記外槽を揺動可能に収容するボデーと、回転ドラムの回転軸を軸支する軸受と、前記外槽の後方に設けられ前記軸受を略中央部に有する軸受ケースと、前記外槽と前記軸受との間に設けられ前記外槽と前記軸受とを気密にするオイルシールとを備え、前記外槽の後面の略中央部に、略ドーナツ状の外槽補強板が固定され、前記軸受ケースがその略中央部において前記外槽補強板に固定されることにより、前記オイルシールが前記外槽の後面に密着するよう構成するとともに、前記外槽補強板は、略ドーナツ状の円板とした内周部と、前記内周部から上下方向に延設したつば部とから成り、前記内周部とつば部とを外槽にスポット溶接によって取り付けられ、このスポット溶接の水平方向における間隔は、つば部における間隔を円板における間隔よりも大きくしたものである。
【００１２】
これにより、軸受ケ−スの外槽後面への固定が確実となり、オイルシ−ルと外槽の密着性が向上し水漏れを防止することができる。また、軸受ケ−スを外槽補強板にて外槽の略中央部に固定することにより、外槽と回転ドラムの芯ズレを防止でき回転ドラムの回転トルクの低減およびパッキング部材の磨耗防止が図れる。さらに、外槽の変形防止および振動音の発生を防止することができる。
【００１３】
【発明の実施の形態】
本発明の請求項１に記載の発明は、略水平方向に回転軸を有する回転ドラムと、この回転ドラムを外包した外槽と、洗濯時および脱水時に前記回転ドラムを回転させる駆動モータと、前記外槽を揺動可能に収容するボデーと、回転ドラムの回転軸を軸支する軸受と、前記外槽の後方に設けられ前記軸受を略中央部に有する軸受ケースと、前記外槽と前記軸受との間に設けられ前記外槽と前記軸受とを気密にするオイルシールとを備え、前記外槽の後面の略中央部に、略ドーナツ状の外槽補強板が固定され、前記軸受ケースがその略中央部において前記外槽補強板に固定されることにより、前記オイルシールが前記外槽の後面に密着するよう構成するとともに、前記外槽補強板は、略ドーナツ状の円板とした内周部と、前記内周部から上下方向に延設したつば部とから成り、前記内周部とつば部とを外槽にスポット溶接によって取り付けられ、このスポット溶接の水平方向における間隔は、つば部における間隔を円板における間隔よりも大きくしたため、オイルシ−ルと外槽との密着性が向上し水漏れを防止することができかつ、外槽と回転ドラムの芯ズレを防止でき回転トルクの低減およびパッキング部材の磨耗防止ができ、また、揺動体が振動する際の軸受ケ−スと外槽の鉛直方向の剥離をつば部の固定により防止することができ、さらに、揺動体の左右方向の振動に対してつば部のスポット部に振動時の応力を分散することにより外槽補強板の取付け部の強度の向上が図れる。
【００１４】
【実施例】
以下、本発明の一実施例について、図１から図５を参照しながら説明する。なお、従来例と同じ構成のものは同一符号を付して説明を省略する。
【００１５】
図１に示すように、第１のモータ（駆動モータ）２６は、回転ドラム１を第１の回転数Ｎ１（たとえば、５３ｒｐｍ）で回転させて、洗濯またはすすぎをするものであり、第２のモータ（駆動モータ）２７は、回転ドラム１を第２の回転数Ｎ２（たとえば、１０００ｒｐｍ）で回転させて脱水する。これら第１のモータ２６および第２のモータ２７は、インダクションモータで構成し、それぞれベルト２８、２９を介して従動プーリー３０に連結している。
【００１６】
従動プーリー３０は、２種の減速比を有しており、第１のモータ２６をベルト２８を介して減速比が大きい従動プーリー３０ａと連結し、第２のモータ２７をベルト２９を介して減速比が小さい従動プーリー３０ｂと連結し、回転ドラム１の回転中心に一端を固定した回転軸４の他端に固定している。制御装置３１は、ヒータ１７、第１のモータ２６、第２のモータ２７などの動作を制御し、洗濯、すすぎ、脱水などの一連の行程を逐次制御する。
【００１７】
図２および図３に示すように、軸受１９と該軸受１９を前方にてシ−ルするオイルシ−ル２０を略中央部に収納する略Ｘ形状の軸受ケ−ス２１は、外槽３の略中央部に固定した略ド−ナツ状の外槽補強板２３に複数箇所ネジ締め固定し、周縁部は前記外槽３の後方凹部３−ｘに収納し外周方向よりネジ２２にて固定されている。
【００１８】
上記構成において動作を説明すると、窓１６を開いて回転ドラム１内に洗濯物を投入し、電源スイッチ（図示せず）をオンした後、制御装置３１に設けたスタートスイッチ（図示せず）を操作して運転を開始すると、給水弁４０が動作して給水し、水位検知手段（図示せず）により所定の水位を検知すると給水を停止し、第１のモータ２６を駆動する。洗濯行程では、洗濯物に水が含まれるため補給水しながら、回転ドラム１は第１のモータ２６によって第１の回転数Ｎ１で回転駆動され、回転ドラム１内の洗濯物は持ち上げられて水面上に落下される。
【００１９】
このとき、ヒ−タ１７に通電して外槽３内の洗濯水をほぼ一定の温度に制御しながら加熱する。洗濯行程が終了すると、排水ポンプ４１が動作して外槽３内の洗濯水を排水する。その後、すすぎ行程を経由して脱水行程では、回転ドラム１は第２の回転数Ｎ２で回転駆動され、洗濯物は遠心脱水される。
【００２０】
脱水行程で、回転ドラム１を第２の回転数Ｎ２で回転させたとき、回転ドラム１内の洗濯物がアンバランス状態であると、外槽３を主体とする揺動体が振動（揺動）し、この振動によって外槽３の後面部、軸受ケ−ス２１が振動しようとするが、外槽３の略中央部に固定された外槽補強板２３により軸受ケ−ス２１のオイルシ−ル２０と外槽３後面は確実に密着され水漏れを防止することができる。
【００２１】
また、軸受ケ−ス２１を外槽補強板２３にて略中央部を固定することにより外槽３と回転ドラム１の芯ズレを防止することができ、第１のモ−タ２６、第２のモ−タ２７の回転トルクの低減がはかれる。さらに、前方に固定された略筒状のパッキング部材１２と回転ドラム１が接触することなくパッキング部材１２の磨耗を防止することができる。
【００２２】
また、外槽補強板２３は略ド−ナツ状の円板の上方下方に延びたつば部２３−ｂを設け、内周部２３−ａおよび該つば部２３−ｂを図４および図５のように外槽３後面に固定することにより揺動体が振動した際の外槽３と軸受ケ−ス２１の剥離を防止することができる。
【００２３】
また、外槽補強板２３は外槽３にスポット溶接し、そのスポット位置が内周部のスポット位置（ｍ）より外側につば部のスポット位置（ｎ）が位置するようにしている。これにより、揺動体が左右方向に振動したときの外槽補強板２４を剥がそうとする力をつば部２３−ｂのスポット部が受け持ち外槽補強板２３の外槽３への取付け部強度がさらに向上する。
【００２４】
また、図２に示すように、外槽３後面の外槽補強板２３の固定位置より外側に略環状の段押し部３−ｃを形成することにより、外槽３後面の振動伝ぱんを該段押し部３−ｃにより緩和し、外槽補強板２４の取付け部強度向上および振動音の防止ができる。また、軸受ケ−ス２１と外槽３後面間に防振材２５を介在させることにより外槽３後面の振動が緩和され振動音の防止ができる。
【００２５】
【発明の効果】
以上のように本発明の請求項１に記載の発明によれば、略水平方向に回転軸を有する回転ドラムと、この回転ドラムを外包した外槽と、洗濯時および脱水時に前記回転ドラムを回転させる駆動モータと、前記外槽を揺動可能に収容するボデーと、回転ドラムの回転軸を軸支する軸受と、前記外槽の後方に設けられ前記軸受を略中央部に有する軸受ケースと、前記外槽と前記軸受との間に設けられ前記外槽と前記軸受とを気密にするオイルシールとを備え、前記外槽の後面の略中央部に、略ドーナツ状の外槽補強板が固定され、前記軸受ケースがその略中央部において前記外槽補強板に固定されることにより、前記オイルシールが前記外槽の後面に密着するよう構成するとともに、前記外槽補強板は、略ドーナツ状の円板とした内周部と、前記内周部から上下方向に延設したつば部とから成り、前記内周部とつば部とを外槽にスポット溶接によって取り付けられ、このスポット溶接の水平方向における間隔は、つば部における間隔を円板における間隔よりも大きくしたことにより、揺動体の振動時にオイルシ−ルと外槽後面が確実に密着し水漏れを防止することができ、かつ外槽と回転ドラムの回転トルクの低減およびパッキング部材の磨耗防止ができ、また、軸受ケ−スと外槽の鉛直方向の剥離をつば部の固定により防止することができ、さらに、左右振動に対してスポット部にかかる応力を分散することができ外槽後面の補強が加工の比較的容易なスポット溶接にて確実にでき水漏れ、騒音の防止ができる。
【図面の簡単な説明】
【図１】  本発明の実施例のドラム式洗濯機の断面図
【図２】  同ドラム式洗濯機の要部拡大断面図
【図３】  同ドラム式洗濯機の外槽後面の分解斜視図
【図４】  同ドラム式洗濯機の外槽補強板の外槽取付構造を示す図
【図５】  同ドラム式洗濯機の外槽補強板の平面図
【図６】  従来のドラム式洗濯機の断面図
【図７】  同ドラム式洗濯機の外槽部の分解斜視図
【符号の説明】
１  回転ドラム
３  外槽
３ｃ  段押部
３ｘ  凹部
４  回転軸
８  ボデー
１９  軸受
２０  オイルシール
２１  軸受ケース
２１ａ  内周部
２１ｂ  外周部
２３  外槽補強板
２３ａ  内周部
２３ｂ  つば部
２５  防振材
２６  第１のモータ（駆動モータ）
２７  第２のモータ（駆動モータ）
【図１】
0003840734.tif 000002
【図２】
0003840734.tif 000003
【図３】
0003840734.tif 000004
【図４】
0003840734.tif 000005
【図５】
0003840734.tif 000006
【図６】
0003840734.tif 000007
【図７】
0003840734.tif 000008